(57)【要約】【課題】  利用者の記憶に残る所定年代のヒット曲を選曲可能に表示させる電子早見本装置を提供する。【解決手段】  それぞれ所定の年代に対応するキーワードを示す複数のキーワードボタン９４をタッチパネルディスプレイ５２に表示させるキーワードボタン表示手段８４と、斯かるキーワードボタン９４への利用者の接触に応じて、そのキーワードボタンにより示されるキーワードに対応する年代と関連付けられた複数の演奏曲をそれぞれ示す演奏曲ボタン９６をタッチパネルディスプレイ５２に表示させる演奏曲ボタン表示手段８８と、斯かる演奏曲ボタン９６への利用者の接触に応じて、その演奏曲ボタン９６により示される演奏曲を選曲するための信号をカラオケ装置１０に送信する選曲手段９０とを、含むことから、所定の年代におけるヒット曲と密接に結びついて想起される年代毎のキーワードに基づいて演奏曲の選曲を行うことができる。【選択図】  図４
2006058763.tif 000002
【特許請求の範囲】
【請求項１】
複数の演奏曲のうちから選択される所望の演奏曲を出力させるカラオケ装置を遠隔操作するために、所定の画像を表示させると共に利用者の接触に応じて前記カラオケ装置への入力を行うタッチパネルディスプレイを備えた電子早見本装置であって、
それぞれ所定の年代に対応するキーワードを示す複数のキーワードボタンを前記タッチパネルディスプレイに表示させるキーワードボタン表示手段と、
該キーワードボタン表示手段により表示されたキーワードボタンへの利用者の接触に応じて、該キーワードボタンにより示されるキーワードに対応する年代と関連付けられた複数の演奏曲をそれぞれ示す複数の演奏曲ボタンを前記タッチパネルディスプレイに表示させる演奏曲ボタン表示手段と、
該演奏曲ボタン表示手段により前記タッチパネルディスプレイに表示された演奏曲ボタンへの利用者の接触に応じて、該演奏曲ボタンにより示される演奏曲を選曲するための信号を前記カラオケ装置に送信する選曲手段と
を、含むことを特徴とする電子早見本装置。
【請求項２】
前記キーワードボタン表示手段は、予め定められた複数のキーワードのうち所定数のキーワードをランダムに抽出してそれらのキーワードを示すキーワードボタンを前記タッチパネルディスプレイに表示させるものである請求項１の電子早見本装置。
【請求項３】
前記キーワードボタン表示手段は、年代順とは専ら関係のない配列で前記複数のキーワードボタンを前記タッチパネルディスプレイに表示させるものである請求項１又は２の電子早見本装置。
【請求項４】
前記演奏曲ボタン表示手段は、前記キーワードボタン表示手段により表示されたキーワードボタンへの利用者の接触に応じて、該キーワードボタンにより示されるキーワードに対応する年代と関連付けられた複数の演奏曲のうち所定数の演奏曲をランダムに抽出してそれらの演奏曲を示す演奏曲ボタンを前記タッチパネルディスプレイに表示させるものである請求項１から３の何れかの電子早見本装置。
【請求項５】
前記キーワードは、対応する所定の年代に流行った流行語である請求項１から４の何れかの電子早見本装置。
【請求項６】
前記キーワードは、対応する所定の年代における風俗を表す語である請求項１から４の何れかの電子早見本装置。
【請求項７】
前記キーワードは、対応する所定の年代におけるニュースを表す語である請求項１から４の何れかの電子早見本装置。
【発明の詳細な説明】
【技術分野】
【０００１】
本発明は、複数の演奏曲のうちから選択される所望の演奏曲を出力させるカラオケ装置を遠隔操作するための電子早見本装置の改良に関する。
【背景技術】
【０００２】
複数の演奏曲のうちから選択される所望の演奏曲を出力させる音楽再生装置が知られている。例えば、カラオケボックス等で使用されるカラオケ装置がそれである。斯かるカラオケ装置によれば、予め記憶装置に記憶された複数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
斯かるカラオケ装置を遠隔操作するために、所定の画像を表示させると共に利用者の接触に応じてそのカラオケ装置への入力を行うタッチパネルディスプレイを備えた電子早見本装置が知られている。例えば、特許文献１に記載された電子目次本機能付きカラオケリモコン装置がそれである。この技術によれば、上記タッチパネルディスプレイに表示される映像を参照しつつ利用者の指等の接触（タッチ入力）により簡便に上記カラオケ装置への入力を行うことができ、また、斯かるタッチ入力により利用者の現在の年齢又は生まれた年代を入力させると共に検索対象となる年代が利用者にとって何歳の時であるかを入力させることにより、所定の年代におけるヒット曲を選曲可能に表示させることができる。
【０００４】
【特許文献１】特開２００３−１４０６６９号公報
【０００５】
しかし、前記従来の技術による検索は、前記電子早見本装置に入力すべき年代に関する情報と利用者の記憶に残る所定の年代におけるヒット曲とがうまく結びつかず、通常の年代別ヒット曲のインデックスと大差ないものになりがちであった。すなわち、利用者の記憶に残る所定年代のヒット曲を選曲可能に表示させる電子早見本装置は、未だ開発されていないのが現状である。
【発明の開示】
【発明が解決しようとする課題】
【０００６】
本発明は、以上の事情を背景として為されたものであり、その目的とするところは、利用者の記憶に残る所定年代のヒット曲を選曲可能に表示させる電子早見本装置を提供することにある。
【課題を解決するための手段】
【０００７】
斯かる目的を達成するために、本発明の要旨とするところは、複数の演奏曲のうちから選択される所望の演奏曲を出力させるカラオケ装置を遠隔操作するために、所定の画像を表示させると共に利用者の接触に応じて前記カラオケ装置への入力を行うタッチパネルディスプレイを備えた電子早見本装置であって、それぞれ所定の年代に対応するキーワードを示す複数のキーワードボタンを前記タッチパネルディスプレイに表示させるキーワードボタン表示手段と、そのキーワードボタン表示手段により表示されたキーワードボタンへの利用者の接触に応じて、そのキーワードボタンにより示されるキーワードに対応する年代と関連付けられた複数の演奏曲をそれぞれ示す複数の演奏曲ボタンを前記タッチパネルディスプレイに表示させる演奏曲ボタン表示手段と、その演奏曲ボタン表示手段により前記タッチパネルディスプレイに表示された演奏曲ボタンへの利用者の接触に応じて、その演奏曲ボタンにより示される演奏曲を選曲するための信号を前記カラオケ装置に送信する選曲手段とを、含むことを特徴とするものである。
【発明の効果】
【０００８】
このようにすれば、それぞれ所定の年代に対応するキーワードを示す複数のキーワードボタンを前記タッチパネルディスプレイに表示させるキーワードボタン表示手段と、そのキーワードボタン表示手段により表示されたキーワードボタンへの利用者の接触に応じて、そのキーワードボタンにより示されるキーワードに対応する年代と関連付けられた複数の演奏曲をそれぞれ示す複数の演奏曲ボタンを前記タッチパネルディスプレイに表示させる演奏曲ボタン表示手段と、その演奏曲ボタン表示手段により前記タッチパネルディスプレイに表示された演奏曲ボタンへの利用者の接触に応じて、その演奏曲ボタンにより示される演奏曲を選曲するための信号を前記カラオケ装置に送信する選曲手段とを、含むことから、所定の年代におけるヒット曲と密接に結びついて想起される年代毎のキーワードに基づいて演奏曲の選曲を行うことができる。すなわち、利用者の記憶に残る所定年代のヒット曲を選曲可能に表示させる電子早見本装置を提供することができる。
【０００９】
ここで、好適には、前記キーワードボタン表示手段は、予め定められた複数のキーワードのうち所定数のキーワードをランダムに抽出してそれらキーワードを示すキーワードボタンを前記タッチパネルディスプレイに表示させるものである。このようにすれば、毎回新しいキーワードが表示され、選曲の際の娯楽性を高めることができるという利点がある。
【００１０】
また、好適には、前記キーワードボタン表示手段は、年代順とは専ら関係のない配列で前記複数のキーワードボタンを前記タッチパネルディスプレイに表示させるものである。このようにすれば、年代を意識することなく直接利用者の記憶に訴えることで、選曲の際の娯楽性を高めることができるという利点がある。
【００１１】
また、好適には、前記演奏曲ボタン表示手段は、前記キーワードボタン表示手段により表示されたキーワードボタンへの利用者の接触に応じて、そのキーワードボタンにより示されるキーワードに対応する年代と関連付けられた複数の演奏曲のうち所定数の演奏曲をランダムに抽出してそれらの演奏曲を示す演奏曲ボタンを前記タッチパネルディスプレイに表示させるものである。このようにすれば、同じキーワードを選んだ場合にも毎回新しい演奏曲が表示され、選曲の際の娯楽性を高めることができるという利点がある。
【００１２】
また、好適には、前記キーワードは、対応する所定の年代に流行った流行語である。このようにすれば、所定の年代におけるヒット曲と密接に結びついて想起される年代毎の流行語に基づいて演奏曲の選曲を行うことができるという利点がある。
【００１３】
また、好適には、前記キーワードは、対応する所定の年代における風俗を表す語である。このようにすれば、所定の年代におけるヒット曲と密接に結びついて想起される年代毎の風俗を表す語に基づいて演奏曲の選曲を行うことができるという利点がある。
【００１４】
また、好適には、前記キーワードは、対応する所定の年代におけるニュースを表す語である。このようにすれば、所定の年代におけるヒット曲と密接に結びついて想起される年代毎のニュースを表す語に基づいて演奏曲の選曲を行うことができるという利点がある。
【実施例】
【００１５】
以下、本発明の好適な実施例を図面に基づいて詳細に説明する。
【００１６】
図１は、本発明の電子早見本装置５０が備え付けられるカラオケ装置１０の構成を例示するブロック線図である。この図１に示すように、上記カラオケ装置１０は、ＣＲＴ等の映像表示装置１２と、ディスクプレーヤ１４と、ビデオミキサ１６と、アンプミキサ１８と、スピーカ２０と、マイクロフォン２２と、操作パネル２４と、中央演算処理装置であるＣＰＵ２６と、ＲＯＭ２８と、ＲＡＭ３０と、記憶装置であるハードディスク３２と、モデム３４と、ＣＲＴコントローラ３６と、上記操作パネル２４等からの入力信号を処理する入出力インターフェイス３８と、音源であるシンセサイザ４０と、リモコン４８や電子早見本装置５０等の入力装置からのリモコン信号を受信するためのリモコン受信部４２と、その電子早見本装置５０等との間で無線ＬＡＮ通信を行うための無線ＬＡＮ通信部４４とを、備えて構成されている。
【００１７】
上記ＣＰＵ２６は、上記ＲＡＭ３０の一時記憶機能を利用しつつ上記ＲＯＭ２８に予め記憶された所定のプログラムに基づいて電子情報を処理・制御する所謂コンピュータであり、上記リモコン４８や電子早見本装置５０等により所定のカラオケ演奏曲が選曲された場合、その選曲されたカラオケ演奏曲を上記ＲＡＭ３０に設けられた予約曲リストに登録したり、その予約曲リストの演奏順に従って上記ハードディスク３２から上記ＲＡＭ３０に選曲されたカラオケ演奏曲の演奏情報及び歌詞情報等を読み出したり、カラオケ演奏曲の演奏が進行するのに応じてそのＲＡＭ３０から上記シンセサイザ４０へ演奏情報を送信したり、歌詞情報に基づいて歌詞文字映像を生成して上記ＣＲＴコントローラ３６へ送ったり、選曲時には曲名文字映像を生成して上記ＣＲＴコントローラ３６へ送ったり、上記ディスクプレーヤ１４を制御して所定の背景映像を再生させる等の基本的な制御を実行する。
【００１８】
前記操作パネル２４は、前記カラオケ装置１０の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１０には、前記操作パネル２４の一部機能を遠隔で実行するための入力装置として機能するリモコン４８及び電子早見本装置５０が備えられており、前記リモコン受信部４２は、それら入力装置から送信されるリモコン信号を受信して前記ＣＰＵ２６へ供給する。また、前記無線ＬＡＮ通信部４４は、前記電子早見本装置５０との間で無線ＬＡＮ通信を行うことによりその電子早見本装置５０からの選曲入力を受け付けたり、前記カラオケ装置１０から電子早見本装置５０へ所定の処理を実行させるための指令を送信したりというように、電波を介して前記カラオケ装置１０と電子早見本装置５０との間における相互の情報のやりとりを行う。
【００１９】
前記ディスクプレーヤ１４は、利用者が歌詞を参照しながら歌を歌う際に前記映像表示装置１２に表示される背景映像を記憶したＣＤやＤＶＤを再生する背景映像再生装置である。また、前記ＣＲＴコントローラ３６は、前記ＣＰＵ２６において生成された歌詞文字映像等の文字映像（テロップ）を出力する文字映像出力装置であり、前記ビデオミキサ１６は、前記ＣＰＵ２６において生成され且つ前記ＣＲＴコントローラ３６から出力される文字映像と、前記ディスクプレーヤ１４により再生される背景映像とを合成して前記映像表示装置１２に表示させる映像合成装置である。
【００２０】
前記シンセサイザ４０は、前記ハードディスク３２から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに応じて前記シンセサイザ４０により生成された音楽信号は、アナログ信号に変換されて前記アンプミキサ１８へ送られる。そのアンプミキサ１８では、送られてきた音楽信号と前記マイクロフォン２２を介して入力される利用者の歌声とがミキシングされ、それらの信号が電気的に増幅されて前記スピーカ２０から出力される。
【００２１】
前記ハードディスク３２には、カラオケ演奏曲それぞれのタイトル情報、演奏情報、及び歌詞情報等から成り選曲番号により識別されるカラオケ情報を記憶するカラオケデータベースが設けられている。前記モデム３４は、前記カラオケ装置１０を公衆電話回線等による通信回線４６に接続するための装置である。カラオケボックス等の店舗にそれぞれ備えられた複数のカラオケ装置１０は、上記通信回線４６を介して図示しないカラオケサービス提供会社のセンタ装置に接続されており、それら複数のカラオケ装置１０によって常に新しい曲が演奏可能とされるように、随時新曲のカラオケ情報が上記センタ装置から上記通信回線４６を介してダウンロードされ、前記ハードディスク３２のカラオケデータベースに記憶されるようになっている。すなわち、前記カラオケ装置１０は、電気通信回線を通じて各種情報の送受信を実行し得る通信カラオケ装置である。
【００２２】
図２は、前記電子早見本装置５０の外観を大まかに示す斜視図である。この図２に示すように、前記電子早見本装置５０は、前記カラオケ装置１２を遠隔操作するために、所定の画像（映像）を表示させると共に利用者の接触に応じてそのカラオケ装置１２への入力を行うタッチパネルディスプレイ５２を備えている。この電子早見本装置５０は、クレイドル５４に取り付けられた状態又はそのクレイドル５４から取り外された状態で用いられ、取り付けられた状態においては、そのクレイドル５４及び図示しないＬＡＮケーブルを介して前記カラオケ装置１０に接続されるようになっている。
【００２３】
図３は、前記電子早見本装置５０の構成を説明するブロック線図である。この図３に示すように、前記電子早見本装置５０は、タッチパネルディスプレイ５２に所定の映像を表示させる表示装置５６と、その表示装置５６による表示を制御する表示制御部５８と、利用者の指等によるタッチパネルディスプレイ５２への接触により入力を行うタッチパネル６０と、そのタッチパネル６０による入力を制御する入力制御部６２と、中央演算処理装置であるＣＰＵ６４と、ＲＯＭ６６と、ＲＡＭ６８と、フラッシュＲＯＭ等の記憶部７０と、インターフェイス７２と、リモコン送信部７４と、無線ＬＡＮ通信部７６とを、備えて構成されている。また、上記記憶部７０には、前記カラオケ装置１０のカラオケデータベースに記憶された多数のカラオケ情報それぞれに対応して曲名、アーティスト名、歌詞の歌い出し部分等の選曲案内情報を選曲番号毎に記憶する演奏曲データベース７８と、年代毎に複数（例えば１００曲）のヒット曲すなわちその年において多くのレコード乃至はＣＤ売上げを達成した演奏曲の選曲番号を記憶するヒット曲データベース８０と、それぞれ所定の年代に対応する複数のキーワードを記憶するキーワードデータベース８２とが設けられている。
【００２４】
上記ＣＰＵ６４は、上記ＲＡＭ６８の一時記憶機能を利用しつつ上記ＲＯＭ６６に予め記憶された所定のプログラムに基づいて電子情報を処理・制御する所謂コンピュータであり、上記記憶部７０から選曲案内情報を読み出し、上記表示装置５６を介してその選曲案内情報に基づく所定の案内映像を上記タッチパネルディスプレイ５２に表示させたり、そのタッチパネルディスプレイ５２に表示された案内映像に従って上記タッチパネル６０による選曲入力が行われた場合、所定のカラオケ演奏曲を予約するための選曲信号（選曲予約信号）を上記無線ＬＡＮ通信部７６等を介して前記カラオケ装置１０に送信する等の基本的な制御に加え、後述するキーワード選曲制御を実行する。
【００２５】
図４は、前記電子早見本装置５０のＣＰＵ６４に備えられた制御機能の要部を示す機能ブロック線図である。この図４に示すキーワードボタン表示手段８４は、それぞれ所定の年代に対応するキーワードを示す複数のキーワードボタン９４を前記タッチパネルディスプレイ５２に表示させる。好適には、前記キーワードデータベース８２に記憶された複数のキーワードのうち所定数（例えば２０個）のキーワードをランダムに抽出してそれらのキーワードを示す同数のキーワードボタン９４を含む図６に示すようなキーワード選択画面を前記タッチパネルディスプレイ５２に表示させる。好適には、年代順とは専ら関係のない配列で前記複数のキーワードボタン９４を前記タッチパネルディスプレイ５２に表示させる。
【００２６】
前記キーワードデータベース８２に記憶されるキーワードは、例えば、第１のジャンルとして「対応する所定の年代に流行った流行語」、第２のジャンルとして「対応する所定の年代における風俗を表す語」、第３のジャンルとして「対応する所定の年代におけるニュースを表す語」のうち、何れか１つのジャンルに属するものである。ここで、風俗とは、習俗乃至は風習と同義であり、社会生活において地域や時代毎の人々や日常生活の特色や世相等を指す。また、前記キーワードボタン表示手段８４は、好適には、キーワード種類ボタン表示手段８６を含んでおり、このキーワード種類ボタン表示手段８６は、利用者の操作に応じて、第１のジャンルである「流行語」、第２のジャンルである「風俗」、第３のジャンルである「ニュース」をそれぞれ示すキーワード種類ボタン９２を含む図５に示すようなキーワード種類選択画面を前記タッチパネルディスプレイ５２に表示させる。そして、上記キーワードボタン表示手段８４は、斯かるキーワード種類ボタン表示手段８６により表示されたキーワード種類ボタン９２への利用者の接触に応じて、そのキーワード種類ボタン９２に対応するジャンルに属する所定数のキーワードをランダムに抽出してそれらのキーワードを示す同数のキーワードボタン９４を前記タッチパネルディスプレイ５２に表示させる。
【００２７】
図６は、図５のキーワード種類選択画面において、第１のジャンルである「流行語」が選択された場合に前記タッチパネルディスプレイ５２に表示されるキーワード選択画面の一例を示している。この図６に示す「アッシー・メッシー」は１９９０年代に、「コギャル」は１９９３年代に、「同情するなら金をくれ」は１９９４年代に、「インターネット」は１９９５年代に、・・・というように、それぞれのキーワードが所定の年代に一対一に対応している。ここで、「すったもんだがありました」は「同情するなら金をくれ」と同様に１９９４年代に対応するキーワード（流行語）である。このように、前記キーワードデータベース８２には、所定の年代に対応して複数のキーワードが記憶されており、同じ年代に対応する複数のキーワードを示すキーワードボタン９４が１つのキーワード選択画面内に表示されてもよい。
【００２８】
演奏曲ボタン表示手段８８は、前記キーワードボタン表示手段８４により表示されたキーワードボタン９４への利用者の接触に応じて、そのキーワードボタン９４により示されるキーワードに対応する年代と関連付けられた複数の演奏曲をそれぞれ示す演奏曲ボタン９６を前記タッチパネルディスプレイ５２に表示させる。好適には、前記キーワードボタン表示手段８４により表示されたキーワードボタン９４への利用者の接触に応じて、そのキーワードボタン９４により示されるキーワードに対応する年代と関連付けられて前記ヒット曲データベース８０に記憶されている複数の演奏曲のうち、所定数（例えば２０曲）の演奏曲をランダムに抽出してそれらの演奏曲を示す同数の演奏曲ボタン９６を含む図７に示すような選曲画面を前記タッチパネルディスプレイ５２に表示させる。この図７は、図６のキーワード選択画面において、キーワード「すったもんだがありました」が選択された場合に前記タッチパネルディスプレイ５２に表示される選曲画面の一例を示しており、これらの演奏曲ボタン９６は、何れもキーワード「すったもんだがありました」に対応する１９９４年代のヒット曲を示している。
【００２９】
選曲手段９０は、前記演奏曲ボタン表示手段８８により前記タッチパネルディスプレイ５２に表示された演奏曲ボタン９６への利用者の接触に応じて、その演奏曲ボタン９６により示される演奏曲を選曲するための信号を前記無線ＬＡＮ通信部７６を介して前記カラオケ装置１０に送信する。すなわち、利用者が所望する演奏曲を前記カラオケ装置１０のＲＡＭ３０等に形成された予約曲リストに登録するための選曲予約処理を行う。
【００３０】
図８は、前記電子早見本装置５０のＣＰＵ６４によるキーワード選曲制御の要部を説明するフローチャートであり、所定の周期で繰り返し実行されるものである。
【００３１】
先ず、前記キーワード種類ボタン表示手段８６の動作に対応するステップ（以下、ステップを省略する）Ｓ１において、利用者の操作に応じて図５に示すようなキーワード種類選択画面が前記タッチパネルディスプレイ５２に表示される。次に、Ｓ２において、Ｓ１にて表示されたキーワード種類ボタン９２への利用者の接触によりキーワード種類の選択入力が行われたか否かが判断される。このＳ２の判断が否定されるうちは、Ｓ２の処理が繰り返されることにより待機させられるが、Ｓ２の判断が肯定される場合には、Ｓ３において、利用者の接触に応じて選択されたキーワード種類ボタン９２に対応するジャンルに属する所定数のキーワードが前記キーワードデータベース８２に記憶されたそのジャンルに属する複数のキーワードのうちからランダムに抽出される。次に、Ｓ４において、Ｓ３にて抽出されたキーワードを示す複数のキーワードボタン９４を含む図６に示すようなキーワード選択画面が前記タッチパネルディスプレイ５２に表示される。次に、Ｓ５において、Ｓ４にて表示されたキーワードボタン９４への利用者の接触によりキーワードの選択入力が行われたか否かが判断される。このＳ５の判断が否定されるうちは、Ｓ５の処理が繰り返されることにより待機させられるが、Ｓ５の判断が肯定される場合には、Ｓ６において、利用者の接触に応じて選択されたキーワードボタン９４に対応する年代に属する所定数の演奏曲が前記ヒット曲データベース８０に記憶されたその年代に属する複数の演奏曲（ヒット曲）のうちからランダムに抽出される。次に、Ｓ７において、Ｓ６にて抽出された演奏曲を示す複数の演奏曲ボタン９６を含む図７に示すような選曲画面が前記タッチパネルディスプレイ５２に表示される。次に、Ｓ８において、Ｓ７にて表示された演奏曲ボタン９６への利用者の接触により演奏曲の選択入力が行われたか否かが判断される。このＳ８の判断が否定されるうちは、Ｓ８の処理が繰り返されることにより待機させられるが、Ｓ８の判断が肯定される場合には、前記選曲手段９０の動作に対応するＳ９において、利用者の接触に応じて選択された演奏曲ボタン９６により示される演奏曲の選曲番号が前記演奏曲データベース７８から読み出され、前記無線ＬＡＮ通信部４４を介して選曲信号として前記カラオケ装置１０に送信された後、本ルーチンが終了させられる。以上の制御において、Ｓ３及びＳ４が前記キーワードボタン表示手段８４の動作に、Ｓ６及びＳ７が前記演奏曲ボタン表示手段８８の動作にそれぞれ対応する。
【００３２】
このように、本実施例によれば、それぞれ所定の年代に対応するキーワードを示す複数のキーワードボタン９４を前記タッチパネルディスプレイ５２に表示させるキーワードボタン表示手段８４（Ｓ３及びＳ４）と、そのキーワードボタン表示手段８４により表示されたキーワードボタン９４への利用者の接触に応じて、そのキーワードボタンにより示されるキーワードに対応する年代と関連付けられた複数の演奏曲をそれぞれ示す複数の演奏曲ボタン９６を前記タッチパネルディスプレイ５２に表示させる演奏曲ボタン表示手段８８（Ｓ６及びＳ７）と、その演奏曲ボタン表示手段８８により前記タッチパネルディスプレイ５２に表示された演奏曲ボタン９６への利用者の接触に応じて、その演奏曲ボタン９６により示される演奏曲を選曲するための信号を前記カラオケ装置１０に送信する選曲手段９０（Ｓ９）とを、含むことから、所定の年代におけるヒット曲と密接に結びついて想起される年代毎のキーワードに基づいて演奏曲の選曲を行うことができる。すなわち、利用者の記憶に残る所定年代のヒット曲を選曲可能に表示させる電子早見本装置５０を提供することができる。
【００３３】
また、前記キーワードボタン表示手段８４は、予め前記キーワードデータベース８２に記憶された複数のキーワードのうち所定数のキーワードをランダムに抽出してそれらのキーワードに対応するキーワードボタン９４を前記タッチパネルディスプレイ５２に表示させるものであるため、毎回新しいキーワードが表示され、選曲の際の娯楽性を高めることができるという利点がある。
【００３４】
また、前記キーワードボタン表示手段８４は、年代順とは専ら関係のない配列で前記複数のキーワードボタン９４を前記タッチパネルディスプレイ５２に表示させるものであるため、年代を意識することなく直接利用者の記憶に訴えることで、選曲の際の娯楽性を高めることができるという利点がある。
【００３５】
また、前記演奏曲ボタン表示手段８８は、前記キーワードボタン表示手段８４により表示されたキーワードボタン９４への利用者の接触に応じて、そのキーワードボタン９４により示されるキーワードに対応する年代と関連付けられた複数の演奏曲のうち所定数の演奏曲を前記ヒット曲データベース８０からランダムに抽出してそれらの演奏曲を示す演奏曲ボタン９６を前記タッチパネルディスプレイ５２に表示させるものであるため、同じキーワードを選んだ場合にも毎回新しい演奏曲が表示され、選曲の際の娯楽性を高めることができるという利点がある。
【００３６】
また、前記キーワードは、対応する所定の年代に流行った流行語であるため、所定の年代におけるヒット曲と密接に結びついて想起される年代毎の流行語に基づいて演奏曲の選曲を行うことができるという利点がある。
【００３７】
また、前記キーワードは、対応する所定の年代における風俗を表す語であるため、所定の年代におけるヒット曲と密接に結びついて想起される年代毎の風俗を表す語に基づいて演奏曲の選曲を行うことができるという利点がある。
【００３８】
また、前記キーワードは、対応する所定の年代におけるニュースを表す語であるため、所定の年代におけるヒット曲と密接に結びついて想起される年代毎のニュースを表す語に基づいて演奏曲の選曲を行うことができるという利点がある。
【００３９】
以上、本発明の好適な実施例を図面に基づいて詳細に説明したが、本発明はこれに限定されるものではなく、更に別の態様においても実施される。
【００４０】
例えば、前述の実施例において、前記キーワードボタン表示手段８４は、無作為な配列で前記複数のキーワードボタン９４を前記タッチパネルディスプレイ５２に表示させるものであったが、この配列は何らかの規則性を有するものであってよく、例えば、キーワードの５０音階順に前記複数のキーワードボタン９４を表示させるものであってもよい。また、関連を有するキーワード毎に区分して表示させる等、様々な表示態様が考えられる。
【００４１】
また、前述の実施例において、前記演奏曲ボタン表示手段８８は、所定のキーワードに対応する年代と関連付けられた複数の演奏曲をそれぞれ示す複数の演奏曲ボタン９６を前記タッチパネルディスプレイ５２に表示させる一方、年代に関する情報は特に表示させないものであったが、図７に示すような選曲画面において選択入力されたキーワードに対応する年代を表示させてもよい。
【００４２】
また、前述の実施例において、前記演奏曲ボタン表示手段８８は、選択入力されたキーワードに対応する年代と関連付けられた複数の演奏曲のうち所定数の演奏曲を前記ヒット曲データベース８０からランダムに抽出してそれらの演奏曲を示す演奏曲ボタン９６を前記タッチパネルディスプレイ５２に表示させるものであったが、例えば、前記ヒット曲データベース８０に記憶されている選択入力されたキーワードに対応する年代と関連付けられた演奏曲すべてを示す演奏曲ボタン９６を前記タッチパネルディスプレイ５２に表示させるものであってもよい。
【００４３】
また、前述の実施例では、検索に用いられるキーワードの例として、流行語、風俗、ニュース等を挙げたが、他にも様々なキーワードが考えられる。例えば、対応する所定の年代にヒットした演奏曲そのものをキーワードとしてもよい。所定の年代にヒットした演奏曲は、互いに強く結びついて利用者の記憶に残っているため、キーワードとして１つのヒット曲を選択入力させてその演奏曲のヒットした年代に同じようにヒットした複数の演奏曲を示す演奏曲ボタン９６を表示させることで、本発明の効果を得ることができる。この場合、キーワードとして用いられた演奏曲を示す演奏曲ボタン９６を共に表示させてもよい。また、表示させなくても構わない。
【００４４】
また、前述の実施例において、前記電子早見本装置５０は、前記無線ＬＡＮ通信部７６を介して前記カラオケ装置１０への選曲信号の送信を行うものであったが、例えば、前記リモコン送信部７４からリモコン信号として選曲信号の送信を行うものであっても当然に構わない。
【００４５】
その他、一々例示はしないが、本発明はその趣旨を変更しない範囲内において種々の変更が加えられて実施されるものである。
【図面の簡単な説明】
【００４６】
【図１】本発明の電子早見本装置が備え付けられるカラオケ装置の構成を例示するブロック線図である。
【図２】本発明の一実施例である電子早見本装置の外観を大まかに示す斜視図である。
【図３】図２の電子早見本装置の構成を説明するブロック線図である。
【図４】図２の電子早見本装置のＣＰＵに備えられた制御機能の要部を示す機能ブロック線図である。
【図５】図２の電子早見本装置のタッチパネルディスプレイに表示されるキーワード種類選択画面を例示する図である。
【図６】図２の電子早見本装置のタッチパネルディスプレイに表示されるキーワード選択画面を例示する図である。
【図７】図２の電子早見本装置のタッチパネルディスプレイに表示される選曲画面を例示する図である。
【図８】図２の電子早見本装置のＣＰＵによるキーワード選曲制御の要部を説明するフローチャートである。
【符号の説明】
【００４７】
１０：カラオケ装置
５０：電子早見本装置
５２：タッチパネルディスプレイ
８４：キーワードボタン表示手段
８８：演奏曲ボタン表示手段
９０：選曲手段
９４：キーワードボタン
９６：演奏曲ボタン
【図１】
2006058763.tif 000003
【図２】
2006058763.tif 000004
【図３】
2006058763.tif 000005
【図４】
2006058763.tif 000006
【図５】
2006058763.tif 000007
【図６】
2006058763.tif 000008
【図７】
2006058763.tif 000009
【図８】
2006058763.tif 000010